(57)【要約】【課題】  仕切板と天板との密閉性が経年変化でも影響を受けないようにして、送風効率とともに冷暖房効率を維持できるダクト型空気調和機を提供することを目的とする。【解決手段】  天板２に、下方に窪む台形状の絞り加工凹部として複数のビード２ａを形成するとともに、仕切板３上部の上部フランジ３ｆに、傾斜した第一延出フランジ３ｇと水平状の第二延出フランジ３ｈを設けるとともに、螺子２０が螺合される螺子孔の中心位置から延出フランジ３ｇまでの長さＬは、ビード２ａの螺子孔の中心位置から斜面部までの長さＮに対しＬ＞Ｎとなるように若干長めに設定されている。これにより、第一延出フランジ３ｇとビード２ａの斜面との間には、所定幅の隙間２１が形成され、上部フランジ３ｆの上面とビード２ａの底面部とが密着するとともに、第二延出フランジ３ｈと天板２の内壁面とが密着し、送風機室４と熱交換器室５との密閉性が向上する。【選択図】図３
2011094817.tif 000002
【特許請求の範囲】
【請求項１】
吸込口と吹出口とを備えた筐体内を仕切板により、送風ファンを収納した送風機室と、熱交換器を収納した熱交換器室とに区画し、前記仕切板に、前記送風ファンを駆動するファンモータを固定してなるダクト型空気調和機において、
前記筐体を構成する天板に、凹部としての複数のビードを前記仕切板に平行して形成する一方、前記仕切板の上部に、水平状の上部フランジと、同上部フランジから延出され、傾斜した第一延出フランジと、同第一延出フランジから延出された水平状の第二延出フランジとを設け、前記上部フランジと前記ビードの底面部とを当接させるとともに、前記第二延出フランジと、前記天板の前記ビードから離間した内壁面とを当接させて前記仕切板を前記天板に固定したことを特徴とするダクト型空気調和機。
【請求項２】
前記上部フランジは、固定箇所から第一延出フランジの下端までが、前記ビードの固定箇所から斜面部の下端までより長く形成されていることにより、傾斜した前記第一延出フランジと前記ビードの斜面との間には、所定幅の隙間が形成されることを特徴とする請求項１に記載のダクト型空気調和機。
【発明の詳細な説明】
【技術分野】
【０００１】
本発明は、ダクト型空気調和機に関わり、より詳細には、熱交換器室と送風機室との間の空気漏洩を防止して送風効率を向上させた構成に関する。
【背景技術】
【０００２】
建屋の天井空間内に設置され、室内熱交換器およびファンを収容して構成された本体に、吹出ダクトを接続したダクト型空気調和機が知られている。ダクト型空気調和機にはパネル仕様型とダクト仕様型とがあり、例えば図４で示す空気調和機３０はダクト仕様型であり、建屋の天井面５０に取付けられた複数の吊ボルト３２に固定された本体３１と、室内の天井面５1に、吸込口３４となる一端を開口し、他端を本体３１に接続した吸込ダクト３５と、一端を本体３１に接続し、吹出口３６となる他端を室内の天井面５１に開口した吹出ダクト３７とから構成され、本体３１には、制御基板等を収納した電装品箱３３が付設されている。
【０００３】
本体３１は、互いに対向配置されて四角枠形状に設けられた側板と、底板とからなる上面が開放された箱体と、同箱体の開放された上面を覆う天板とからなり、これら側板と天板の内外表面には断熱材が貼着されている。本体３１内は、後述する仕切板４０により送風機室と、熱交換器室とに区画されており、吸込ダクト３５側には、複数の送風ファンと、同送風ファンを駆動する仕切板に固定されたファンモータとが収納された送風機室が形成され、吹出ダクト３７側には、熱交換器と、同熱交換器から滴下する凝縮水を貯留するドレンパンとを収納した熱交換器室が形成されている。
【０００４】
吸込口３４から吸込まれた空気は吸込ダクト３５を介して本体３１内の送風機室に吸引され、送風ファンにより、熱交換器室に送出され、熱交換器を通過して冷媒と熱交換される。熱交換された空気は、吹出ダクト３７を介して吹出口３６から室内に送出されるようになっている。
【０００５】
本体３１の側板には吊り金具が固定され、同吊り金具が、建屋の天井５０から垂下された吊りボルト３２に固定されて、本体３１は建屋の天井面５０と室内の天井面５１との間に吊り下げ可能となっている。上面が開放された箱体に、平板状に形成された天板を被せた本体３１は強度的に充分ではなく、吊りボルト３２に固定されて、本体３１に自重による応力が掛かると、同本体３１には変形が生じ易いという問題がある。本体３１の強度不足を補うため、天板の板厚を厚くして強度を増すと、本体３１の重量が増加したり、コストアップになるという問題が生じる。更に、ファンモータが仕切板に固定されていることより、ファンモータの運転時に仕切板が振動し、これに伴って騒音が発生してしまうというような不具合があった。また、本体３１が変形すると、仕切板により区画された送風機室と熱交換器室との密閉性が損なわれ、送風機室から熱交換器室への空気漏れが発生して、送風ファンに充分な吸気が供給されず、これにより送風効率とともに冷暖房効率が低下してしまうというような不具合が生じていた。
【０００６】
上記したような問題に対処するため、例えば特許文献１に開示されているように、天板３８に、図４（Ｂ）に示す、絞り凹部としてのビード３９を形成して天板３８の強度を増大させるとともに、同ビード３９にフランジ４１を形成した仕切板４０を螺子止めにより固定した例がある。しかしながら、ビードの底面３９ａとフランジの上面４１ａの当接面のみでは密閉性が充分ではなく、送風機室から熱交換器室への空気漏洩が防止できないという問題があった。また、図４（Ｂ）に示すように、仕切板４３のフランジ４４の先端部に、ビード３９の斜面に沿った斜面４５を形成した例もあるが、ビード３９の斜面及びフランジ４４の斜面４５は、プレス成型で形成する関係上、形状精度が劣り、斜面形状に歪み、捩れ等を生じて、密閉性を充分に保つことができないという問題があった。
【先行技術文献】
【特許文献】
【０００７】
【特許文献１】特開２０００−２７４７２８号（４頁、図５）
【発明の概要】
【発明が解決しようとする課題】
【０００８】
本発明は、上記問題点に鑑み、送風機室と熱交換器室との間で空気漏洩を防ぎ、送風効率とともに、冷暖房効率を向上させたダクト型空気調和機を提供することを目的とする。
【０００９】
本発明は、上記課題を解決するため、吸込口と吹出口とを備えた筐体内を仕切板により、送風ファンを収納した送風機室と、熱交換器を収納した熱交換器室とに区画し、前記仕切板に、前記送風ファンを駆動するファンモータを固定してなるダクト型空気調和機において、前記筐体を構成する天板に、凹部としての複数のビードを前記仕切板に平行して形成する一方、前記仕切板の上部に、水平状の上部フランジと、同上部フランジから延出され、傾斜した第一延出フランジと、同第一延出フランジから延出された水平状の第二延出フランジとを設け、前記上部フランジと前記ビードの底面部とを当接させるとともに、前記第二延出フランジと、前記天板の前記ビードから離間した内壁面とを当接させて前記仕切板を前記天板に固定したこと構成となっている。
【００１０】
また、前記上部フランジは、固定箇所から第一延出フランジの下端までが、前記ビードの固定箇所から斜面部の下端までより長く形成されていることにより、傾斜した前記第一延出フランジと前記ビードの斜面との間には、所定幅の隙間が形成される構成となっている。
【発明の効果】
【００１１】
請求項１の発明によれば、上部フランジとビードの底面部との当接面が密着するとともに、第二延出フランジと、天板のビードから離間した内壁面との当接面が密着し、仕切板により区画された送風機室と熱交換器室との密閉性が向上し、熱交換器室において送風ファンから吹出され、送風機室に戻ろうとする空気の流れを防止できるようになっている。これにより送風効率とともに冷暖房効率を向上させることができるようになっている。
【００１２】
請求項２の発明によれば、傾斜した前記第一延出フランジと前記ビードの斜面との間には、所定幅の隙間が形成されることにより、第一延出フランジとビードの斜面とで形成される枠体形状により、筐体の強度が向上するとともに、上部フランジ上面とビードの底面部との当接面及び第二延出フランジと天板の内壁面との当接面がより密着するようになっている。
【図面の簡単な説明】
【００１３】
【図１】本発明によるダクト型空気調和機の外観分解斜視図及び断面図である。
【図２】仕切板を示す斜視図である。
【図３】仕切板と天板との接続状態を示す断面図である。
【図４】（Ａ）はダクト型空気調和機を示す説明図である。  （Ｂ）は一例として天板と仕切板の固定を示す断面図である。  （Ｃ）は他の例として天板と仕切板の固定を示す断面図である。
【発明を実施するための形態】
【００１４】
以下、本発明の実施の形態を、添付図面に基づいた実施例として詳細に説明する。
【実施例１】
【００１５】
本発明によるダクト型空気調和機を、図１（Ａ）の斜視図及び図１（Ｂ）の断面図で示す。図１（Ａ）の斜視図は、後述する送風機室４側からの斜視図であり、天板２を外した状態で示している。
【００１６】
本発明によるダクト型空気調和機は、図１（Ａ）の斜視図で示すように、底板と、同底板の四側周囲に備えられた側板及び吹出ダクトが接続される前面板とからなる上面が開放された箱体１と、同箱体１の開放された上面を覆う天板２とで筐体を構成しており、同筐体の側板及び天板の内側もしくは外側表面には、これら側板及び天板の表面に結露が発生することを防止する断熱材が貼着されている。上面が開放された箱体１の側板には、図示しない複数の吊金具が設けられ、この吊り金具が、建屋の天井から垂下された吊りボルトに固定されて、建屋の天井と室内の天井面との間に吊り下げられるようになっている。
【００１７】
上面が開放された箱体１と天板２とからなる筐体内は、図１（Ｂ）の断面図で示すように、仕切板３により送風機室４と熱交換器室５とに区画されている。送風機室４側の筐体の一側には、網目状のグリルを備えた吸込口６が形成されており、同吸込口６には、図示しない吸込ダクトが接続されるようになっている。また、送風機室４には、図１（Ａ）に示すように、左右一対に送風ファン８が設けられており、これら送風ファン８の中央に、両側に回転軸を突出させたファンモータ９が仕切板３に固定されて配置されている。ファンモータ９の回転軸は、送風ファン８のケーシング８ａ内に収納された回転ブレード８ｂに接続されており、これを回転駆動するようになっている。また、送風ファン８の送出口８ｃは、仕切板３に開口された後述する開口部３ｂから熱交換器室５に突出して設けられている。尚、送風ファン８はシロッコファンであり、ケーシング８ａの両側面に吸入口を備え、筐体の吸込口６から流入してきた空気を同ケーシング８ａの吸入口から吸入し、回転ブレード８ｂによりケーシング８ａ先端部の送出口８ｃから熱交換器室５に送出するようになっている。
【００１８】
尚、筐体の吸込口６には、上記したように、図示しない吸込ダクトが接続される場合と、接続されない場合があり、必要に応じて使い分けられるようになっている。
【００１９】
熱交換器室５側の筐体の他側には前面板１ａが備えられ、同前面板１ａには、図示しない吹出ダクトが接続される吹出ダクト接続口７が形成されている。同吹出ダクト接続口７に吹出ダクトの一端が接続され、他端は室内天井の開口部に接続されるようになっている。
【００２０】
熱交換器室５には、吹出ダクト接続口７から仕切板３に向かい、下方に傾斜した室内熱交換器１０が設けられている。同室内熱交換器１０は、並列した多数のフィンと、同フィンに直交するように蛇行状に配設された伝熱管とからなり、同伝熱管は配管を介して図示しない室外機に接続されるようになっている。また、熱交換器室５の底面には、室内熱交換器１０の表面で凝縮した凝縮水を受ける露受皿１１が設けられている。同露受皿１１は仕切板３側に、凝縮水を受けることのできる立ち上がり部１１ａを有する断面Ｌ字状に形成され、これにより、ダクト型空気調和機は、熱交換器室５を上部にした縦置型空気調和機としても使用できるようになっている。尚、露受皿１１に貯留された凝縮水は、図示しない排水菅により、外部に排出されるようになっている。
【００２１】
筐体の吸込口６から吸込まれた空気は、送風機室４の送風ファン８により熱交換器室５に送出され、室内熱交換器１０で熱交換された後、吹出ダクト接続口７に接続された図示しない吹出ダクトを介して室内に吹出され、室内の冷暖房を行うようになっている。
【００２２】
後述する仕切板３の上端部が固定される天板２には、図１（Ａ）に示すように、上記した仕切板3と平行になるように複数のビード２ａが形成されている。同ビード２ａは、下方に窪む台形状の絞り加工凹部として形成され、天板２の強度を高めるようになっている。これにより、送風機室４のファンモータ９を運転しても、ビード２ａにより強度が増した天板２の振動及び騒音を抑制でき、これが被着された箱体１の振動及び騒音も抑制することができるようになっている。また、ビード２ａにより強度が増すことから、天板２の板厚を薄くすることもでき、天板２の重量牽いては筐体の重量低減及びコストダウンに寄与することができるようになっている。また、送風機室４側に位置するビード２ａの部位には、仕切板３の上端部が固定されるようになっている。
【００２３】
次に、仕切板３について説明する。仕切板３は、図２に示すように、送風ファン８の送出口８ｃが挿通する一対の開口部３ｂを穿設した基部３ａと、同基部３ａの下辺から折曲された下部フランジ３ｄと、側辺から折曲され延出された側面フランジ３ｅと、図３（Ｂ）のＡ部詳細図で示すように、上辺に、下部フランジ３ｄとは反対方向に折曲して形成された上部フランジ３ｆ及び同上部フランジ３ｆから傾斜して上方に延出された第一延出フランジ３ｇ及び同第一延出フランジ３ｇから水平方向に延出された第二延出フランジ３ｈとからなっている。
【００２４】
基部３ａの一対の開口部３ｂの間は、ファンモータ９が固定されるファンモータ取付部となっており、同ファンモータ取付部にはビード３ｃが形成されている。同ビード３ｃは天板２に形成されたビード２ａと同様に、送風機室４側に窪む台形状の絞り加工凹部として形成され、縦状の３本のビードと、これらを連結するような横状の１本のビードとからなり、ファンモータ９が固定されても、仕切板３に掛かる荷重に対する強度を向上させるようになっている。
【００２５】
上記した仕切板３の上部フランジ３ｆ及び同上部フランジ３ｆから上方に延出された第一延出フランジ３ｇについて説明する。図３（Ａ）及び図３（Ｂ）で示すように、仕切板３の上端から折曲された上部フランジ３ｆは、螺子２０を螺合する螺子孔を備えるとともに、同螺子孔の中心位置から第一延出フランジ３ｇの下端までの長さＬは、天板２において下方に窪む台形状に形成されたビード２ａの底面部２ａ−１の螺子２０が螺合する螺子孔の中心位置から斜面部２ａ−２の下端までの長さＮに対しＬ＞Ｎとなるように若干長めに設定され、また、傾斜して形成された第一延出フランジ３ｇは、ビード２ａの斜面部２ａ−２と平行となっている。尚、第二延出フランジ３ｈが、仕切板３が天板２に取付けられた際、仕切板３を形成する板金のバネ性を利用して天板２の内壁面に密着するように、第一延出フランジ３ｇと上部フランジ３ｆの曲げ角度は所定の曲げ角度より２〜３度、大きく形成してもよい。
【００２６】
次に、仕切板３の天板２への取付について説明する。仕切板３の上部は、図３に示すように、天板２の送風機室４側に位置するビード２ａに取付けられ、上記した下部フランジ３ｄは箱体１の底面に固定され、側面フランジ３ｅは箱体１の側板に夫々、固定されるようになっている。図３（Ｂ）のＡ部詳細図に示すように、仕切板３の上端から折曲され水平方向に延出された上部フランジ３ｆは、下方に窪む台形状に形成されたビード２ａの底面部２ａ−１に沿って配置され、また、傾斜して形成された第一延出フランジ３ｇとビード２ａの斜面部２ａ−２との間には、第一延出フランジ３ｇとビード２ａの斜面部２ａ−２とが当接しないように、所定幅として例えば２〜３ｍｍの隙間２１が形成されるようになっている。第一延出フランジ３ｇとビード２ａの斜面部２ａ−２との間に隙間２１を形成することにより、上部フランジ３ｆとビード２ａの底面部２ａ−１及び、後述するように第二延出フランジ３ｈと天板２の内壁面とが密着し易くなっている。また、仮に第一延出フランジ３ｇがプレス成型における曲げ加工の際、ビード２ａの長手方向において、ビード２ａに完全に平行ではなく多少斜めに成型されてしまった場合においても、隙間２１により、第一延出フランジ３ｇとビード２ａの斜面部２ａ−２とが接触しないようになっていることにより、仕切板３の取付の際、第一延出フランジ３ｇから延出された第二延出フランジ３ｈには自由度が発生し、同第二延出フランジ３ｈの上面と、天板２のビード２ａから離間した内壁面とが密着するようになるまで、同第二延出フランジ３ｈは天板２の内壁面を移動するようになっている。また、第二延出フランジ３ｈは、上記したように板金のバネ性を利用すると、より天板２の内壁面に密着させることができるようになっており、この状態で、ビード２ａと上部フランジ３ｆとが螺子２０により固定され仕切板３が天板２に固定されるようになっている。
【００２７】
次に、効果について説明する。仕切板３上部の上部フランジ３ｆに、傾斜した第一延出フランジ３ｇと水平状の第二延出フランジ３ｈを設けるとともに、上部フランジ３ｆの螺子２０が螺合される螺子孔の中心位置から第一延出フランジ３ｇの下端までの長さＬは、ビード２ａの螺子孔の中心位置から斜面部２ａ−２の下端までの長さＮに対しＬ＞Ｎとなるように長めに形成されていることにより、仕切板３を天板２に固定すると、第一延出フランジ３ｇとビード２ａの斜面との間には、上記したように、隙間２１が形成されるようになっている。上記したように、上部フランジ３ｆの上面とビード２ａの底面部２ａ−１との当接面が密着するとともに、第二延出フランジ３ｈと、天板２のビード２ａから離間した内壁面とが密着し、仕切板３により区画された送風機室４と熱交換器室５との密閉性が向上するようになっている。熱交換器室５において送風ファン８から吹出され、送風機室４に戻ろうとする空気の流れを防止することにより、送風機室４から熱交換器室５への空気の漏洩を極力防止することができ、送風機室４に配置された送風ファン８の吸入効率とともに送風効率を向上させ、牽いては冷暖房効率も向上させることができるようになっている。
【００２８】
また、天板２に形成されたビード２ａは、絞り加工により形成されるため形状が不安定であるが、仕切板３の第一延出フランジ３ｇは、この不安定な形状のビード２ａの斜面部２ａ−２との間に隙間２１を形成し、これにより、上部フランジ３ｆの上面とビード２ａの底面部２ａ−１とが密着するとともに、第二延出フランジ３ｈと天板２の内壁面とが密着するようになっている。また、第一延出フランジ３ｇと、同第一延出フランジ３ｇから延出された第二延出フランジ３ｈとで天板２を支持することにより、天板２の強度が増すとともに、同天板２と、箱体１とで構成される枠体形状の筐体強度が向上するようになっている。
【符号の説明】
【００２９】
１  箱体
１ａ  前面板
２  天板
２ａ  ビード
２ａ−１  底面部
２ａ−２  斜面部
３  仕切板
３ａ  基部
３ｂ  開口部
３ｃ  ビード
３ｄ  下部フランジ
３ｅ  側面フランジ
３ｆ  上部フランジ
３ｇ  第一延出フランジ
３ｈ  第二延出フランジ
４  送風機室
５  熱交換器室
６  吸込口
７  吹出ダクト接続口
８  送風ファン
８ａ  回転ブレード
８ｂ  送出口
９  ファンモータ
１０  室内熱交換器
１１  露受皿
【図１】
2011094817.tif 000003
【図２】
2011094817.tif 000004
【図３】
2011094817.tif 000005
【図４】
2011094817.tif 000006